(57)【特許請求の範囲】
【請求項１】
所定の間隔で配置した複数の支柱を備えた既設の防護柵の補強方法において、複数の横ロープ材を把持する緩衝具を用い、この緩衝具は、前記横ロープ材の端部を所定の摩擦力で把持する一対の把持体を備えると共に前記横ロープ材に所定以上の張力が作用したとき該横ロープ材の摩擦摺動を許容し、前記一対の把持体と前記支柱の外板とを挿通したボルトにより前記一対の把持体を前記外板の外面の平面部に固定すると共に前記一対の把持体により横ロープ材を把持して前記支柱間に前記横ロープ材を設け、前記一対の把持体には、前記ボルトを挿通する挿通孔が穿設され、この挿通孔に対応して、前記外板に挿通孔を穿設し、前記一対の把持体の挿通孔に挿通した前記ボルトを、前記外板の挿通孔に挿通し、そのボルトにナットを螺合することにより、前記横ロープ材の端部を所定の把持力で把持すると共に、前記一対の把持体を前記外板の前記平面部に固定することを特徴とする防護柵の補強方法。
【請求項２】
前記緩衝具により前記支柱の両側に配置した前記横ロープ材を把持することを特徴とする請求項１記載の防護柵の補強方法。
【請求項３】
前記緩衝具により前記支柱の一側に配置した前記複数の横ロープ材を把持することを特徴とする請求項１記載の防護柵の補強方法。
【請求項４】
前記横ロープ材の端部に前記緩衝具に係止するストッパを設けることを特徴とする請求項１〜３のいずれか１項に記載の防護柵の補強方法。
【請求項５】
前記支柱間に間伐材を並設し、これら間伐材により前記支柱間を塞ぐことを特徴とする請求項１〜４のいずれか１項に記載の防護柵の補強方法。
【発明の詳細な説明】
【技術分野】
【０００１】
本発明は、雪崩・落石等における防護柵の補強方法に関する。
【背景技術】
【０００２】
従来、この種の防護柵として、地上に間隔を置き建て込んだ端末パイプ支柱及び中間パイプ支柱に複数段のケーブルとともに金網を張設したものや、適宜の間隔を置き建て込んだＨ型鋼の端末支柱及び中間支柱と、これら支柱間に張設した複数段のケーブル及び金網とを備えた防護柵（例えば特許文献１）が知られている。
【０００３】
また、支柱間に設ける横ロープ材を把持し、該横ロープ材に加わる張力を横ロープ材の摩擦摺動により吸収するロープ用緩衝具（例えば特許文献２）が提案されており、この緩衝具はＵボルトを備え、このＵボルトを連結する連結部を、前記支柱に設けている。
【特許文献１】特開平７−１９７４２３号公報
【特許文献２】特開２００３−３１３８２８号公報
【発明の開示】
【発明が解決しようとする課題】
【０００４】
上記特許文献２のようは緩衝具を備えた防護柵は、その緩衝作用により落石などのエネルギー吸収効果に優れたものとなるが、Ｕボルトと把持具を備えた緩衝具を用いるため、防護柵の構造が複雑になる面がある。
【０００５】
また、上記特許文献１に記載の防護柵において、金網などが損傷し、補修工事を行なったとしても、現状を維持するだけで、エネルギー吸収効果を向上することはできない。そこで、補修工事の際に緩衝具を取付けることが考えられるが、Ｈ鋼などの支柱に直接緩衝具を連結することはできないため、支柱に連結部を取付け、或いは支柱を加工する必要が生じ、補修工事において簡単に改造することができない。
【０００６】
そこで、本発明は、エネルギー吸収効果に優れ、支柱への緩衝具の取付けが簡単な防護柵を提供することを目的とし、また、緩衝具の取付けにより簡便にエネルギー吸収効果を向上することができる防護柵の補強方法を提供することを目的とする。
【課題を解決するための手段】
【０００７】
請求項１の発明は、所定の間隔で配置した複数の支柱を備えた既設の防護柵の補強方法において、複数の横ロープ材を把持する緩衝具を用い、この緩衝具は、前記横ロープ材の端部を所定の摩擦力で把持する一対の把持体を備えると共に前記横ロープ材に所定以上の張力が作用したとき該横ロープ材の摩擦摺動を許容し、前記一対の把持体と前記支柱の外板とを挿通したボルトにより前記一対の把持体を前記外板の外面の平面部に固定すると共に前記一対の把持体により横ロープ材を把持して前記支柱間に前記横ロープ材を設け、前記一対の把持体には、前記ボルトを挿通する挿通孔が穿設され、この挿通孔に対応して、前記外板に挿通孔を穿設し、前記一対の把持体の挿通孔に挿通した前記ボルトを、前記外板の挿通孔に挿通し、そのボルトにナットを螺合することにより、前記横ロープ材の端部を所定の把持力で把持すると共に、前記一対の把持体を前記外板の前記平面部に固定する方法である。
【０００８】
また、請求項２の発明は、前記緩衝具により前記支柱の両側に配置した前記横ロープ材を把持する方法である。
【０００９】
また、請求項３の発明は、前記緩衝具により前記支柱の一側に配置した前記複数の横ロープ材を把持する方法である。
【００１０】
また、請求項４の発明は、前記横ロープ材の端部に前記緩衝具に係止するストッパを設ける方法である。
【００１１】
また、請求項５の発明は、前記支柱間に間伐材を並設し、これら間伐材により前記支柱間を塞ぐ方法である。
【発明の効果】
【００１２】
請求項１の構成によれば、支柱の外板の外面に直接設けることにより、緩衝具の取付構造を簡略化し、安価にして落石エネルギー吸収効果に優れた防護柵が得られる。
【００１３】
また、請求項１の構成によれば、１つの緩衝具により複数の横ロープ材を支柱に取り付けることができる。
【００１４】
また、請求項１の構成によれば、ボルトを用いて緩衝具を簡便に取り付けることができる。
【００１５】
また、請求項１の構成によれば、取り付け易いものとなる。
【００１６】
また、請求項２の構成によれば、１つの緩衝具で、その緩衝具を取り付けた支柱の両側に横ロープ材を設けることができる。
【００１７】
また、請求項３の構成によれば、１つの緩衝具で、その緩衝具を取り付けた支柱の一側に、複数段に横ロープ材を設けることができる。
【００１８】
また、請求項４の構成によれば、横ロープ材が摩擦摺動した後、緩衝具にストッパが係止して摺動が停止する。
【００１９】
また、請求項５の構成によれば、支柱間を塞ぐ間伐材により落石などの衝撃を吸収できる。そして、間伐材を介して、落石の衝撃力を、上下多段に設けた横ロープ材に伝達することができ、衝撃力を分散させることができる。
【００２０】
また、請求項１の構成によれば、既設の防護柵を補強して落石エネルギー吸収効果を向上することができる。
【００２１】
また、請求項１の構成によれば、把持体と外板にボルトを挿通し、そのボルトの締め付けにより、横ロープ材の把持と、把持体の支柱への取付とを行うことができる。
【発明を実施するための最良の形態】
【００２２】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な防護柵を採用することにより、従来にない防護柵が得られ、その防護柵について記述する。
【実施例１】
【００２３】
以下、本発明の実施例を添付図面を参照して説明する。図１〜図４は本発明の実施例１を示し、同図に示すように、衝撃吸収柵である落石防護柵は、斜面あるいは斜面に並んで基礎たるコンクリート基礎１を設け、このコンクリート基礎１に複数の支柱２…を立設する。前記支柱２は、Ｈ型鋼，コンクリート柱，鋼管あるいはコンクリート充填鋼管などからなり、この例ではＨ型鋼を用い、その下端を前記コンクリート基礎１に固着している。前記支柱２間には横ロープ材３，３が上下段に設けられ、この横ロープ材３の端部を把持する緩衝具４が前記支柱２の前面に設けられ、支柱２，２の間は金網５により遮蔽されている。尚、支柱２は上記のように基礎に固定してもよいし、下部を地中に建て込んで固定してもよいし、下部を斜面などに位置固定すると共に、山側と谷側の控えロープ材により固定してもよい。
【００２４】
前記支柱２は、前後のフランジ部11，11をウエブ部12で連結した断面Ｈ型をなし、それら前後のフランジ部11，11の前後の外面には、平面部13，13が形成されている。また、フランジ部11の内面には前記緩衝具４の取付位置に対応して、金属製などからなる補強プレート14が配置される。
【００２５】
前記緩衝具４は、前記横ロープ材３を所定の摩擦力で把持する一対の把持体21，21を備え、これら把持体21，21の合せ面に、横ロープ材３に嵌合する一対の嵌合溝22，22を形成し、両把持体21，21は、ボルト23とナット24を備えた締付固定手段23，23により締め付けられ、且つ前記支柱２に上下方向多段に固定される。
【００２６】
前記把持体21は、支柱２の高さ方向に長い略矩形のブロック状をなし、使用状態で、横方向をなす前記嵌合溝22，22が上下に並ぶ。また、使用状態で、前記嵌合溝22，22を挟んだ把持体21，21の上下には、前記ボルト23を挿通する挿通孔23Ａ，23Ａが穿設され、この挿通孔23Ａ，23Ａに対応して、前記フランジ部11に挿通孔23Ｂ，23Ｂを穿設すると共に、前記補強プレート14に挿通孔23Ｂ，23Ｂを穿設している。尚、前記横ロープ材３の端部には、前記緩衝具４の把持体21，21に係止するストッパ６が固着されている。
【００２７】
現場での取付け作業においては、図１に示すように、複数並んだ支柱２，２…に対して所定間隔で前記緩衝具４を取り付け、各支柱２には、上下方向に間隔をおいて前記緩衝具４を多段に取り付ける。この場合、緩衝具４における上側の嵌合溝22に上側の横ロープ材３の端部側を配置すると共に、下側の嵌合溝22に下側の横ロープ材３の端部側を配置し、把持体21，21の挿通孔23Ａ，23Ａに挿通したボルト23を、フランジ部11の挿通孔23Ｂに挿通し、そのボルト23の先端にナット24を螺合することにより、嵌合溝22により横ロープ材３を所定の把持力で把持すると共に、緩衝具４をフランジ部11の平面部13に固定する。尚、この例では、フランジ部11の左側11Ｌと右側11Ｒの何れかに緩衝具４を固定する。
【００２８】
また、既設の防護柵においても、金網を張り替える際、金網を取り外し、支柱２のフランジ部11に穿孔機により前記貫通孔23Ｂ，23Ｂを穿設すれば、緩衝具４を簡便に取り付けることができる。尚、既設の防護柵の場合は、支柱２の基礎１から突出する高さは３メートル以下のものが例示される。
【００２９】
そして、落石などを受けて、把持体21，21は横ロープ材３，３を所定の摩擦力で把持すると共に、所定以上の張力が作用したとき横ロープ材３の摩擦摺動を許容するものであり、前記横ロープ材３に張力が発生すると、嵌合溝22に対して横ロープ材３の端部が摺動摩擦することにより、落石のエネルギーを吸収することができる。尚、ストッパ６が把持体21，21に係止した後は、横ロープ材３により落石のエネルギーに対抗する。
【００３０】
このように本実施例では、所定の間隔で配置した複数の支柱２，２を備えた既設の防護柵の補強方法において、複数の横ロープ材３，３を把持する緩衝具４を用い、この緩衝具４は、横ロープ材３を所定の摩擦力で把持すると共に横ロープ材３に所定以上の張力が作用したとき該横ロープ材３の摩擦摺動を許容し、緩衝具４と支柱３の外板たるフランジ部11とを挿通したボルト23により緩衝具４をフランジ部23の外面の平面部13に固定すると共に緩衝具４により横ロープ材３を把持して支柱２，２間に横ロープ材３を設ける方法であるから、支柱２のフランジ部11の外面に直接固定することにより、緩衝具４の取付構造を簡略化し、安価にして落石エネルギー吸収効果に優れた防護柵が得られる。
【００３１】
また、このように本実施例では、所定の間隔で複数の支柱２，２を設け、支柱２，２間に横ロープ材３を設けた防護柵において、横ロープ材３を複数把持する緩衝具４を用い、この緩衝具４を支柱２の外板たるフランジ部11の外面に設けたから、１つの緩衝具４により複数の横ロープ材３，３を支柱２に取り付けることができる。
【００３２】
また、このように本実施例では、緩衝具４と外板たるフランジ部11とを挿通したボルト23により緩衝具４を支柱２に固定したから、ボルト23を用いて緩衝具４を簡便に取り付けることができる。
【００３３】
また、このように本実施例では、外面の平面部13に緩衝具４を固定したから、取り付け易いものとなる。
【００３４】
また、このように本実施例では、緩衝具４により支柱２の両側に配置した横ロープ材３，３を把持したから、１つの緩衝具４で、その緩衝具４を取り付けた支柱２の両側に横ロープ材３，３を設けることができる。
【００３５】
また、このように本実施例では、横ロープ材３の端部に緩衝具４に係止するストッパ６を設けたから、横ロープ材３が摩擦摺動した後、緩衝具４にストッパ６が係止して摺動が停止する。
【００３６】
また、このように本実施例では、所定の間隔で配置した複数の支柱２，２を備えた既設の防護柵の補強方法において、横ロープ材３を複数把持する緩衝具４を用い、この緩衝具４を支柱２の外板たるフランジ部11の外面に固定して支柱２，２間に横ロープ材３を設けるから、既設の防護柵を補強して落石エネルギー吸収効果を向上することができる。
【００３７】
また、このように本実施例では、緩衝具４は、横ロープ材３を所定の摩擦力で把持する一対の把持体21，21を備え、これら一対の把持体21，21には、ボルト23を挿通する挿通孔23Ａ，23Ａが穿設され、この挿通孔23Ａ，23Ａに対応して、外板たるフランジ部11に挿通孔23Ｂ，23Ｂを穿設し、把持体21の挿通孔23Ａに挿通したボルト23を、フランジ部11の挿通孔23Ｂに挿通し、そのボルト23の先端にナット24を螺合することにより、横ロープ材３を所定の把持力で把持すると共に、緩衝具４をフランジ部11の平面部13に固定する方法であり、把持体とフランジ部11にボルト23を挿通し、そのボルト23の締め付けにより、横ロープ材３の把持と、把持体21，21の支柱２への取付とを行うことができる。
【００３８】
また、実施例上の効果として、少なくともフランジ部11側の把持体21の外面21Ｇが略平面をなすから、安定した取付状態が得られる。
【実施例２】
【００３９】
図５及び図６は本発明の実施例２を示し、上記各実施例と同一部分に同一符号を付し、その詳細な説明を省略して詳述すると、この例では、支柱２のフランジ部11の左側11Ｌと右側11Ｒとに、それぞれほぼ同じ高さ位置で、緩衝具４，４を取付固定し、支柱２，２…間で隣合う左側11Ｌに固定した緩衝具４と右側に固定した緩衝具４に、２本の横ロープ材３，３の左側端部と右側端部とを把持し、各段で２本の横ロープ材３，３を支柱２，２…間に配置している。尚、１つの緩衝具４における上下の横ロープ３，３の間隔は、上下に隣合う上側の緩衝具４の下側の横ロープ材３と下側の緩衝具４の上側の横ロープ材３との間隔より狭い。尚、１つの支柱２において左側11Ｌの緩衝具４と右側11Ｒの緩衝具４との位置を、横ロープ材３，３の端部が干渉しないように上下に僅かにずらしてもよく、例えば嵌合溝22，22の間隔の２分の１程度ずらすことが好ましい。
【００４０】
このように本実施例では、上記実施例と同様な作用，効果を奏し、また、このように本実施例では、緩衝具４により支柱２の一側に配置した複数の横ロープ材３，３を把持したから、１つの緩衝具４で、その緩衝具４を取り付けた支柱２の一側に、複数段に横ロープ材３，３を設けることができる。
【実施例３】
【００４１】
図７は本発明の実施例を示し、上記各実施例と同一部分に同一符号を付し、その詳細な説明を省略して詳述すると、この例では、上記実施例２において、３つの嵌合溝22，22，22を有する緩衝具４を用いており、各段で３本の横ロープ材３，３，３を支柱２，２…間に配置することができる。そして、このように一対の把持体21，21に、平行に設ける嵌合溝22の数は３個でもよく、４個以上でもよい。
【００４２】
このように本実施例では、上記実施例と同様な作用，効果を奏する。
【実施例４】
【００４３】
図８及び図９は本発明の実施例を示し、上記各実施例と同一部分に同一符号を付し、その詳細な説明を省略して詳述すると、この例では、横ロープ材３の途中にループ部31を形成し、このループ部31の重合部32における横ロープ材３，３の部分を前記嵌合溝22，22に配置し、その重合部32における横ロープ材３，３の部分を把持体21，21により所定の力で把持している。また、隣合うループ部31，31・・・同士が交差部33により交差して繋がっている。
【００４４】
このように本実施例では、上記実施例と同様な作用，効果を奏し、また、このように本実施例では、横ロープ材３にループ部31を設け、このループ部31の重合部32を緩衝具４により把持したから、ループ部31が縮小する際、重合部32の横ロープ材３が緩衝具４に摩擦摺動する。
【実施例５】
【００４５】
図１０は本発明の実施例を示し、上記各実施例と同一部分に同一符号を付し、その詳細な説明を省略して詳述すると、この例では、支柱２，２間において、横ロープ材３，３の前又は後、或いは前後両方に木質の杆41を縦方向の向きで並設し、それら杆41により支柱２，２間を塞ぐようにしており、前記杆41としては、間伐材の丸太，竹や各種の丸太などが例示される。この場合、杆41を、各段の横ロープ材３の前側に配置することが好ましく、このようにすることにより、杆41が落石を受けると、落石の衝撃力が、上下多段に設けた各段の横ロープ材３に伝達され、落石の衝撃力を分散させることができる。
【００４６】
このように本実施例では、上記実施例と同様な作用，効果を奏し、また、このように本実施例では、支柱２，２間に、杆41である間伐材を並設し、これら間伐材により支柱２，２間を塞ぐから、間伐材により落石などの衝撃を吸収できる。そして、間伐材を介して、落石の衝撃力を、上下多段に設けた横ロープ材３に伝達することができ、衝撃力を分散させることができる。
【実施例６】
【００４７】
図１１は本発明の実施例を示し、上記各実施例と同一部分に同一符号を付し、その詳細な説明を省略して詳述すると、この例は既設の防護柵の補修に適したものであり、既設の支柱２の山側上部に控えロープ材51の一端を連結し、その控えロープ材51の他端を山側の地山に固定したアンカー52に固定する。
【００４８】
このように本実施例では、上記実施例と同様な作用，効果を奏し、また、補修により支柱２の強度を向上できる。
【実施例７】
【００４９】
図１２は本発明の実施例７を示し、上記各実施例と同一部分に同一符号を付し、その詳細な説明を省略して詳述すると、この例は既設の防護柵の補修に適したものであり、既設の防護柵のＨ型鋼からなる支柱２を補強するに際して補強体61を用い、その補強体61は、コンクリート基礎１に固定する基礎側部62と支柱２に前側又は後側に添える添接部63とを一体に備え、それら基礎側部62と添接部63とにリブ部64を固着し、支柱２の山側と谷側の前後のフランジ部11，11を挟むように、両側に補強体61，61を配置し、その補強体61は、前記基礎側部62をアンカーボルトなどの固定手段65によりコンクリート基礎１に固定することにより固定される。
【００５０】
このように本実施例では、上記実施例と同様な作用，効果を奏する。
【実施例８】
【００５１】
図１３は本発明の実施例８を示し、上記各実施例と同一部分に同一符号を付し、その詳細な説明を省略して詳述すると、この例は両側の支柱２，２に緩衝具４をそれぞれ取り付け、これら支柱２，２間において、前記横ロープ材３を分割して分割端部３Ｔ，３Ｔを形成し、これら分割端部３Ｔ，３Ｔを長さ方向に重合させ、これら分割端部３Ｔ，３Ｔを嵌合溝22，22に配置し、把持体21，21により把持し、支柱２，２の中空に緩衝具４を設けている。また、分割端部３Ｔ，３Ｔの端部にストッパ６，６をそれぞれ設ける。尚、図１３中に右側の支柱２の図示しない右隣の支柱にも緩衝具を設け、これらの支柱の間の中空に緩衝具４を設ける。
【００５２】
したがって、支柱２の緩衝具４及び支柱２，２の間の緩衝具４において横ロープ材３が摺動することにより、衝撃力を吸収することができる。
【００５３】
このように本実施例では、上記実施例と同様な作用，効果を奏し、また、このように本実施例では、横ロープ材３を把持する緩衝具４を支柱２，２間に設けたから、支柱２，２の間に設けた緩衝具４によっても落石などの衝撃を吸収できる。
【実施例９】
【００５４】
図１４は本発明の実施例９を示し、上記各実施例と同一部分に同一符号を付し、その詳細な説明を省略して詳述すると、この例は、支柱２のウエブ部12に、横ロープ材３の端部を挿通する挿通孔71を形成し、この挿通孔71に横ロープ材３を挿通し、その端部に前記ストッパ６を固着している。また、横ロープ材３の端部側を前記把持体21，21により把持し、前記緩衝具４をウエブ部12の外面に設けている。この場合、横ロープ材３に引張力を加えて、その横ロープ材３に緩衝具４を取り付ければ、その引張力により緩衝具４がウエブ部12の外面に当接する。尚、緩衝具４の取付に必要な引張力は、横ロープ材３が大きく撓まない程度の引張力でもよい。また、図１４では、１本の横ロープ材３を図示しているが、上記の実施例のように、嵌合溝22を複数有する緩衝具４により、横ロープ材３を複数把持するようにしてもよい。
【００５５】
そして、落石などにより横ロープ材４の途中に所定以上の引張力が発生すると、ウエブ部12が支持体となって緩衝具４を支持し、この緩衝具４に横ロープ材３が摩擦摺動して落石のエネルギーを吸収することができる。
【００５６】
このように本実施例では、上記実施例と同様な作用，効果を奏し、また、このように本実施例では、横ロープ材３を支柱２に挿通し、挿通した側で横ロープ材３に緩衝具４を取り付け、その横ロープ材３の張力を利用して前記緩衝具４が横ロープ材３の外面に当たるように設けたから、特に横ロープ材３の端部を連結する端末の支柱２に、緩衝具４を簡便に取り付けることができる。
【００５７】
尚、本発明は、前記実施例に限定されるものではなく、種々の変形実施が可能である。例えば、実施例では、緩衝具を支柱の前側（山側）に設けたが、緩衝具を支柱の後側（反山側）に設けてもよい。また、緩衝具を前記支柱の外板の外面に固定する際、間にスペーサや補強などのために平面部を有するプレートなどを介在してもよい。
【図面の簡単な説明】
【００５８】
【図１】本発明の実施例１を示す防護柵の正面図である。
【図２】同上、支柱の平面図である。
【図３】同上、緩衝具の正面図である。
【図４】同上、締付け前の緩衝具の側面図である。
【図５】本発明の実施例２を示す防護柵の正面図である。
【図６】同上、支柱の平面図である。
【図７】本発明の実施例３を示す支柱に取り付けた緩衝具の正面図である。
【図８】本発明の実施例４を示す防護柵の正面図である。
【図９】同上、要部の正面図である。
【図１０】本発明の実施例５を示す防護柵の正面図である。
【図１１】本発明の実施例６を示す防護柵の側面図である。
【図１２】本発明の実施例７を示す支柱下部の側面図である。
【図１３】本発明の実施例８を示す防護柵の正面図である。
【図１４】本発明の実施例８を示す支柱の平面図である。
【符号の説明】
【００５９】
１  コンクリート基礎
２  支柱
３  横ロープ材
４  緩衝具
６  ストッパ
11  フランジ部（外板）
11Ｌ  左側
11Ｒ  右側
13  平面部
21  把持体
22  嵌合溝
23  ボルト
23Ａ  挿通孔（把持体の挿通孔）
23Ｂ  挿通孔（外板の挿通孔）
24  ナット
25  締付固定手段
31  ループ部
32  重合部
33  交差部
41  木質の杆（間伐材）
【要約】      （修正有）【課題】エネルギー吸収効果に優れ、支柱への緩衝具の取付けが簡単な防護柵を提供する。【解決手段】所定の間隔で複数の支柱２，２を設け、支柱２，２間に横ロープ材３を設ける。横ロープ材３を把持する緩衝具４を用い、この緩衝具４を支柱２のフランジ部11の外面に固定する。支柱２のフランジ部11の外面に直接固定することにより、緩衝具４の取付構造を簡略化し、安価にして落石エネルギー吸収効果に優れた防護柵が得られる。また、１つの緩衝具４により複数の横ロープ材３，３を支柱２に取り付けることができる。さらに、既設の防護柵の補修に用いれば、補修前よりも落石エネルギー吸収効果を向上できる。【選択図】図２【図１】
0004310812.tif 000002
【図２】
0004310812.tif 000003
【図３】
0004310812.tif 000004
【図４】
0004310812.tif 000005
【図５】
0004310812.tif 000006
【図６】
0004310812.tif 000007
【図７】
0004310812.tif 000008
【図８】
0004310812.tif 000009
【図９】
0004310812.tif 000010
【図１０】
0004310812.tif 000011
【図１１】
0004310812.tif 000012
【図１２】
0004310812.tif 000013
【図１３】
0004310812.tif 000014
【図１４】
0004310812.tif 000015